(57)【要約】【課題】着信した電話番号によって端末を認証し、代理で決済を行い、または行わせる。【解決手段】決済端末１５０は、通話機能を備えた通信端末１０から通話を着信し、その発信者番号によって決済情報データベース１６０から決済情報を抽出することで、当該発信者番号と関連付けて記憶されている決済情報を用いて、決済端末１５０が通信端末１０の代わりに決済を行い、又は通信端末１０が決済端末１５０の代わりに決済を行うことが可能となる【選択図】図１
2015043114.tif 000002
【特許請求の範囲】
【請求項１】
発信者番号と決済情報とを関連付けて記憶させた決済情報データベースを記憶部に備え、一以上の通話機能を備えた通信端末と通信可能に接続された決済端末であって、
前記通信端末から着信した通話を開始する通話機能と、
前記着信した通話に係る前記通信端末の発信者番号を取得する発信者番号取得手段と、
前記決済情報データベースから、前記取得した発信者番号と関連付けて記憶された決済情報を抽出する決済情報抽出手段と、
を備えることを特徴とする決済端末。
【請求項２】
前記通信端末から、決済に係る請求情報を受信する請求情報受信手段と、
前記抽出した決済情報を用いて前記受信した請求情報に係る請求を決済する決済実行手段と、
を備えることを特徴とする請求項１に記載の決済端末。
【請求項３】
前記通信端末に対して、前記抽出した決済情報を送信することで、当該通信端末に当該決済情報を用いて決済を実行させることを可能にする決済情報使用許可手段と、
を備えることを特徴とする請求項１又は２に記載の決済端末。
【請求項４】
通話機能を備えた通信端末と、発信者番号と決済情報とを関連付けて記憶させた決済情報データベースを記憶部に備える決済端末とが通信可能に接続された決済システムであって、
前記通信端末は、
前記決済端末に通話を発信する発信手段と、
前記発信中、又は前記通話中の少なくともいずれかにおいて、前記通信端末の発信者番号を前記決済端末に送信する発信者番号送信手段と、
前記決済端末に請求情報を送信する請求情報送信手段と、
を備え、
前記決済端末は、
前記通信端末から着信した通話を開始する通話機能と、
前記着信した通話に係る前記通信端末の発信者番号を取得する発信者番号取得手段と、
前記決済情報データベースから、前記取得した発信者番号と関連付けて記憶された決済情報を抽出する決済情報抽出手段と、
前記通信端末から、決済に係る請求情報を受信する請求情報受信手段と、
前記抽出した決済情報を用いて前記受信した請求情報に係る請求を決済する決済実行手段と、
を備えることを特徴とする決済システム。
【請求項５】
通話機能を備えた通信端末と、発信者番号と決済情報とを関連付けて記憶させた決済情報データベースを記憶部に備える決済端末とが通信可能に接続された決済システムであって、
前記通信端末は、
前記決済端末に通話を発信する発信手段と、
前記発信中、又は前記通話中の少なくともいずれかにおいて、前記通信端末の発信者番号を前記決済端末に送信する発信者番号送信手段と、
前記決済端末から決済情報を受信する決済情報受信手段と、
前記受信した決済情報を用いて、決済を行う決済手段と、
を備え、
前記決済端末は、
前記通信端末から着信した通話を開始する通話機能と、
前記着信した通話に係る前記通信端末の発信者番号を取得する発信者番号取得手段と、
前記決済情報データベースから、前記取得した発信者番号と関連付けて記憶された決済情報を抽出する決済情報抽出手段と、
前記通信端末に対して、前記抽出した決済情報を送信することで、当該通信端末に当該決済情報を用いて決済を実行させることを可能にする決済情報使用許可手段と、
を備えることを特徴とする決済システム。
【請求項６】
発信者番号と決済情報とを関連付けて記憶させた決済情報データベースを記憶部に備え、一以上の通話機能を備えた通信端末と通信可能に接続された決済端末が実行する決済方法であって、
前記通信端末から着信した通話を開始するステップと、
前記着信した通話に係る前記通信端末の発信者番号を取得するステップと、
前記決済情報データベースから、前記取得した発信者番号と関連付けて記憶された決済情報を抽出するステップと、
を備えることを特徴とする決済方法。
【請求項７】
発信者番号と決済情報とを関連付けて記憶させた決済情報データベースを記憶部に備え、一以上の通話機能を備えた通信端末と通信可能に接続された決済端末に、
前記通信端末から着信した通話を開始するステップ、
前記着信した通話に係る前記通信端末の発信者番号を取得するステップ、
前記決済情報データベースから、前記取得した発信者番号と関連付けて記憶された決済情報を抽出するステップ、
を実行させることを特徴とする決済端末用プログラム。
【発明の詳細な説明】
【技術分野】
【０００１】
本発明は、着信した通話の発信者番号によって認証を行う決済端末、決済システム、決済方法、及び決済端末用プログラムに関する。
【背景技術】
【０００２】
近年、公衆回線網に接続された携帯端末をＷｅｂサーバ等と接続することで、ユーザに様々なサービスが提供されている。特に、スマートフォン（高機能携帯電話）の登場により、従来、パソコンに対して行われていた高度なサービスを、携帯電話で行うことが可能になってきた。
【０００３】
また、情報端末の普及とセキュリティ技術の発達により、公衆回線網を介した遠距離での商取引、いわゆるＥコマースにおいて、オンライン決済が広く利用されている。オンライン決済は主としてクレジットカード情報や、電子マネーの口座情報を用いることで、公衆回線網を通じて商品やサービス等の代金の支払いを行うものである。
【０００４】
しかしながら、オンライン決済において利用可能な決済手段が端末に対応していない場合や、接続が不安定であるといった理由によって、消費者の情報端末から、直接オンライン決済を行うことが不可能である場合がある。
【０００５】
このような課題に対して、様々な形態の決済処理をユーザに代わって代行処理することができるオンライン決済システム及び決済代理サーバが提案されている。
【先行技術文献】
【特許文献】
【０００６】
【特許文献１】特開２００１−２８３１３０号公報
【発明の概要】
【発明が解決しようとする課題】
【０００７】
特許文献１において、サービス提供者毎に異なる各種決済手段を保有し、ユーザの購入先である当該サービス提供者に応じた決済手段によって、ユーザに代わって前記代金の決済処理を代行する決済代理サーバを用いて、前記ユーザは前記決済代理サーバが代行して決済処理する代金を、予め該ユーザと決済代理サーバとの間で設定した決済手段によって、該ユーザと決済代理サーバ間で決済処理を行う方法が開示されている。
【０００８】
しかしながらこの方法では、通信の不調や規制等で、ユーザ端末自体が決済代理サーバとの間でいずれの決済手段を発揮出来ないときには、結果的に目的の決済も行うことができないという問題がある。
【０００９】
そこで本発明の発明者は、通話機能を備えた通信端末から決済端末に通話を発信し、その発信者番号を用いて決済端末において認証を行うことで、当該発信者番号と関連付けて記憶されている決済情報を用いて、決済端末が通信端末の代わりに決済を行ったり、通信端末が決済端末の代わりに決済を行ったりすることが可能であることに着目した。
【００１０】
本発明は、これらの課題に鑑み、通話機能を備えた通信端末から通話を着信し、その発信者番号によって決済情報データベースから決済情報を抽出することで、当該発信者番号と関連付けて記憶されている決済情報を用いて、決済端末が通信端末の代わりに決済を行い、又は通信端末が決済端末の代わりに決済を行うことを可能とする決済システム、決済端末、決済方法、及び決済端末用プログラムを提供することを目的とする。
【課題を解決するための手段】
【００１１】
本発明では、以下のような解決手段を提供する。
【００１２】
第１の特徴に係る発明は、発信者番号と決済情報とを関連付けて記憶させた決済情報データベースを記憶部に備え、一以上の通話機能を備えた通信端末と通信可能に接続された決済端末であって、
前記通信端末から着信した通話を開始する通話機能と、
前記着信した通話に係る前記通信端末の発信者番号を取得する発信者番号取得手段と、
前記決済情報データベースから、前記取得した発信者番号と関連付けて記憶された決済情報を抽出する決済情報抽出手段と、
を備えることを特徴とする決済端末を提供する。
【００１３】
第１の特徴に係る発明によれば、発信者番号と決済情報とを関連付けて記憶させた決済情報データベースを記憶部に備え、一以上の通話機能を備えた通信端末と通信可能に接続された決済端末は、前記通信端末から着信した通話を開始し、前記着信した通話に係る前記通信端末の発信者番号を取得し、前記決済情報データベースから、前記取得した発信者番号と関連付けて記憶された決済情報を抽出する。
【００１４】
第１の特徴に係る発明は、決済端末のカテゴリであるが、決済方法、及び決済端末用プログラムであっても、カテゴリに応じた同様の作用、効果を奏する。
【００１５】
第２の特徴に係る発明は、前記通信端末から、決済に係る請求情報を受信する請求情報受信手段と、
前記抽出した決済情報を用いて前記受信した請求情報に係る請求を決済する決済実行手段と、
を備えることを特徴とする第１の特徴に係る発明である決済端末を提供する。
【００１６】
第２の特徴に係る発明によれば、第１の特徴に係る発明である決済端末は、前記通信端末から、決済に係る請求情報を受信し、前記抽出した決済情報を用いて前記受信した請求情報に係る請求を決済する。
【００１７】
第３の特徴に係る発明は、前記通信端末に対して、前記抽出した決済情報を送信することで、当該通信端末に当該決済情報を用いて決済を実行させることを可能にする決済情報使用許可手段と、
を備えることを特徴とする第１又は第２の特徴に係る発明である決済端末を提供する。
【００１８】
第３の特徴に係る発明によれば、第１又は第２の特徴に係る発明である決済端末は、前記通信端末に対して、前記抽出した決済情報を送信することで、当該通信端末に当該決済情報を用いて決済を実行させることを可能にする。
【００１９】
第４の特徴に係る発明は、通話機能を備えた通信端末と、発信者番号と決済情報とを関連付けて記憶させた決済情報データベースを記憶部に備える決済端末とが通信可能に接続された決済システムであって、
前記通信端末は、
前記決済端末に通話を発信する発信手段と、
前記発信中、又は前記通話中の少なくともいずれかにおいて、前記通信端末の発信者番号を前記決済端末に送信する発信者番号送信手段と、
前記決済端末に請求情報を送信する請求情報送信手段と、
を備え、
前記決済端末は、
前記通信端末から着信した通話を開始する通話機能と、
前記着信した通話に係る前記通信端末の発信者番号を取得する発信者番号取得手段と、
前記決済情報データベースから、前記取得した発信者番号と関連付けて記憶された決済情報を抽出する決済情報抽出手段と、
前記通信端末から、決済に係る請求情報を受信する請求情報受信手段と、
前記抽出した決済情報を用いて前記受信した請求情報に係る請求を決済する決済実行手段と、
を備えることを特徴とする決済システムを提供する。
【００２０】
第４の特徴に係る発明によれば、通話機能を備えた通信端末と、発信者番号と決済情報とを関連付けて記憶させた決済情報データベースを記憶部に備える決済端末とが通信可能に接続された決済システムにおいて、前記通信端末は、前記決済端末に通話を発信し、前記発信中、又は前記通話中の少なくともいずれかにおいて、前記通信端末の発信者番号を前記決済端末に送信し、前記決済端末に請求情報を送信する。また、前記決済端末は、前記通信端末から着信した通話を開始し、前記着信した通話に係る前記通信端末の発信者番号を取得し、前記決済情報データベースから、前記取得した発信者番号と関連付けて記憶された決済情報を抽出し、前記通信端末から、決済に係る請求情報を受信し、前記抽出した決済情報を用いて前記受信した請求情報に係る請求を決済する。
【００２１】
第５の特徴に係る発明は、通話機能を備えた通信端末と、発信者番号と決済情報とを関連付けて記憶させた決済情報データベースを記憶部に備える決済端末とが通信可能に接続された決済システムであって、
前記通信端末は、
前記決済端末に通話を発信する発信手段と、
前記発信中、又は前記通話中の少なくともいずれかにおいて、前記通信端末の発信者番号を前記決済端末に送信する発信者番号送信手段と、
前記決済端末から決済情報を受信する決済情報受信手段と、
前記受信した決済情報を用いて、決済を行う決済手段と、
を備え、
前記決済端末は、
前記通信端末から着信した通話を開始する通話機能と、
前記着信した通話に係る前記通信端末の発信者番号を取得する発信者番号取得手段と、
前記決済情報データベースから、前記取得した発信者番号と関連付けて記憶された決済情報を抽出する決済情報抽出手段と、
前記通信端末に対して、前記抽出した決済情報を送信することで、当該通信端末に当該決済情報を用いて決済を実行させることを可能にする決済情報使用許可手段と、
を備えることを特徴とする決済システムを提供する。
【００２２】
第５の特徴に係る発明によれば、通話機能を備えた通信端末と、発信者番号と決済情報とを関連付けて記憶させた決済情報データベースを記憶部に備える決済端末とが通信可能に接続された決済システムにおいて、前記通信端末は、前記決済端末に通話を発信し、前記発信中、又は前記通話中の少なくともいずれかにおいて、前記通信端末の発信者番号を前記決済端末に送信し、前記決済端末から決済情報を受信し、前記受信した決済情報を用いて、決済を行う。また、前記決済端末は、前記通信端末から着信した通話を開始し、前記着信した通話に係る前記通信端末の発信者番号を取得し、前記決済情報データベースから、前記取得した発信者番号と関連付けて記憶された決済情報を抽出し、前記通信端末に対して、前記抽出した決済情報を送信することで、当該通信端末に当該決済情報を用いて決済を実行させることを可能にする。
【００２３】
第６の特徴に係る発明は、発信者番号と決済情報とを関連付けて記憶させた決済情報データベースを記憶部に備え、一以上の通話機能を備えた通信端末と通信可能に接続された決済端末が実行する決済方法であって、
前記通信端末から着信した通話を開始するステップと、
前記着信した通話に係る前記通信端末の発信者番号を取得するステップと、
前記決済情報データベースから、前記取得した発信者番号と関連付けて記憶された決済情報を抽出するステップと、
を備えることを特徴とする決済方法を提供する。
【００２４】
第７の特徴に係る発明は、発信者番号と決済情報とを関連付けて記憶させた決済情報データベースを記憶部に備え、一以上の通話機能を備えた通信端末と通信可能に接続された決済端末に、
前記通信端末から着信した通話を開始するステップ、
前記着信した通話に係る前記通信端末の発信者番号を取得するステップ、
前記決済情報データベースから、前記取得した発信者番号と関連付けて記憶された決済情報を抽出するステップ、
を実行させることを特徴とする決済端末用プログラムを提供する。
【発明の効果】
【００２５】
本発明によれば、通話機能を備えた通信端末から通話を着信し、その発信者番号によって決済情報データベースから決済情報を抽出することで、当該発信者番号と関連付けて記憶されている決済情報を用いて、決済端末が通信端末の代わりに決済を行い、又は通信端末が決済端末の代わりに決済を行うことを可能とする決済システム、決済端末、決済方法、及び決済端末用プログラムを提供することが可能となる。
【図面の簡単な説明】
【００２６】
【図１】図１は、本発明の好適な実施形態である決済システム１の概要図である。
【図２】図２は、本発明の好適な実施形態である決済システム２の概要図である。
【図３】図３は、決済システム１及び２の全体構成図である。
【図４】図４は、通信端末１０、決済端末１５０、及び決済サーバ２００の機能ブロックと各機能の関係を示す図である。
【図５】図５は、通信端末１０、決済端末１５０、及び決済サーバ２００が実行する決済代行処理のフローチャート図である。
【図６】図６は、通信端末１０、決済端末１５０、及び決済サーバ２００が実行する決済情報の使用許可処理のフローチャート図である。
【図７】図７は、決済代行処理を実行中の決済端末１５０の画面の一例である。
【図８】図８は、決済情報の使用許可処理を実行中の決済端末１５０の画面の一例である。
【図９】図９は、決済情報データベース１６０内の決済情報テーブルの一例である。
【図１０】図１０は、決済情報データベース１６０内の決済情報使用許可テーブルの一例である。
【発明を実施するための形態】
【００２７】
以下、本発明を実施するための最良の形態について図を参照しながら説明する。なお、これはあくまでも一例であって、本発明の技術的範囲はこれに限られるものではない。
【００２８】
［決済システムの概要］
図１は、本発明の好適な実施形態である決済システム１の概要を説明するための図である。また、図２は、本発明の好適な実施形態である決済システム２の概要を説明するための図である。この図１及び図２に基づいて、決済システム１及び決済システム２の概要を説明する。
【００２９】
決済システム１は、通信端末１０と、決済端末１５０と、決済サーバ２００によって構成される。決済システム１において、通信端末１０は、公衆回線網５との接続が不調であったり、通信端末１０がファイアーウォール等によりアクセス規制されていたりといった原因により、決済サーバ２００と通信可能に接続されていないものとする。
【００３０】
初めに、決済サーバ２００から、通信端末１０に対して請求情報が送信される（ステップＳ０１）。なお、請求情報は公衆回線網５を介して送信されていなくてもよい。一例として、通信端末１０によってオンライン決済も可能であるバーコード付きの請求書が、郵送によって送られてよい。
【００３１】
次に通信端末１０は、決済端末１５０を利用するため、電話通信網３を利用して、決済端末１５０に対して通話を発信する（ステップＳ０２）。ここにおいて、通話は電話通信網３のみならず、公衆回線網５やローカルネットワークを介して発信されてもよい。
【００３２】
通話を着信した決済端末１５０は、通話を開始するとともに、通信端末１０から発信者番号を取得する。電話通信網３を利用する場合には、発信者番号は通信端末１０のいわゆる電話番号であるが、公衆回線網５を利用する場合には、特定のアプリケーションやウェブサービスにおけるアカウント名等のユーザを特定する識別子であってよく、数字のみで構成されていなくてもよい。
【００３３】
発信者番号を取得した決済端末１５０は、決済情報データベース１６０から、取得した発信者番号と関連付けて記憶された決済情報を抽出する。本実施例の場合、当該決済情報は事前に決済端末１５０に登録した通信端末１０の持ち主自身の決済情報である場合が多い。
【００３４】
最後に、決済端末１５０は、抽出した決済情報を用いて、決済サーバ２００に対して決済の手続きを行う（ステップＳ０３）。このとき決済端末１５０は、必要であれば通信端末１０から請求情報を受信する。受信の方法としては、公衆回線網５を用いるほか、請求番号等を番号キーによって打ち込み、又は通話音声によって送信してもよい。
【００３５】
なお、図１において決済端末１５０はコールセンターであるかのように描かれているが、必ずしもその必要はなく、通信端末１０の持ち主自身か又は異なる人物である個人が所有していてよい。以上が決済システム１の概要である。
【００３６】
同様に、図２に基づいて決済システム２について説明する。決済システム２は、決済システム１と同様に通信端末１０と、決済端末１５０と、決済サーバ２００によって構成される。決済システム２において、通信端末１０は、決済サーバ２００と通信可能に接続されているものの、決済に必要な決済情報が利用できないものとする。
【００３７】
初めに、決済システム１と同様、請求情報が決済サーバ２００から通信端末１０に送信される（ステップＳ１１）。続いて、通信端末１０が決済端末１５０に電話通信網３を介して通話を発信する（ステップＳ１２）。更に決済端末１５０が発信者番号を取得し、決済情報を抽出するところまで、決済システム１と同様の処理を行う。
【００３８】
その後、決済端末１５０は、抽出した決済情報を通信端末１０に送信する（ステップＳ１３）ことによって、決済情報を通信端末１０において利用可能な状態にする。
【００３９】
最後に、決済情報を受信した通信端末１０は、受信した決済情報を用いて、決済サーバ２００に対して決済の手続きを行う（ステップＳ１４）。運用上、通信端末１０の持ち主と決済情報の名義人は異なる場合がある。この時、記憶されている決済情報は、その利用を許可する相手の番号と、関連付けて記憶されている。
【００４０】
以上が決済システム２の概要である。なお、上記の決済情報はクレジットカード番号のみならず、電子マネーの口座や、オンラインバンクの振込実行権限のパスワード等、決済を行うために必要な情報であってよい。
【００４１】
［決済システムのシステム構成］
図３は、決済システム１、及び決済システム２の全体構成図である。決済システム１、及び決済システム２において、通信端末１０と、決済端末１５０は、電話通信網３によって通話が可能に接続されている。また、決済サーバ２００と、通信端末１０、及び決済端末１５０は、公衆回線網５を介してそれぞれ通信可能に接続されている。ただし、決済システムの構成によっては、いずれか一方が決済サーバ２００と通信可能でない状態にある場合もある。
【００４２】
決済端末１５０は、通信部と記憶部を備えた一般的な情報端末であってよく、後述する機能を備える情報機器である。決済端末１５０は、例えば、携帯電話、スマートフォン、ネットブック端末、スレート端末、電子書籍端末、電子辞書端末、携帯型音楽プレーヤ、携帯型コンテンツ再生・録画プレーヤといった携帯型端末であってもよいし、パーソナルコンピュータといった据え置き型の端末であってもよい。
【００４３】
通信端末１０は、通話機能を備えた一般的な端末であってよい。一例として携帯電話やスマートフォンが挙げられるが、家庭用電話機のように、必ずしも情報家電である必要はなく、通話機能を備えていればよい。
【００４４】
決済サーバ２００は、オンライン決済サービスを提供する一般的なサーバである。
【００４５】
［各機能の説明］
図４は、通信端末１０、決済端末１５０、決済サーバ２００の機能ブロックと各機能の関係を示す図である。
【００４６】
通信端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等を備える。
【００４７】
通信端末１０において、制御部１１が所定のプログラムを読み込むことで、通信部１２と協働して、発信モジュール１４、発信者番号送信モジュール１５、請求情報送信モジュール１６、決済情報受信モジュール１７、決済実行モジュール１８を実現する。
【００４８】
決済端末１５０は、同様に、制御部１５１として、ＣＰＵ，ＲＡＭ，ＲＯＭ等を備え、通信部１５２として、例えば、ＩＥＥＥ８０２．１１に準拠したＷｉＦｉ対応デバイスを備える（有線であってもよい）。また、決済端末１５０は記憶部１５３として、ハードディスクや半導体メモリによる、データのストレージ部を備える。記憶部１５３には、決済情報データベース１６０が記憶されている。
【００４９】
決済端末１５０において、制御部１５１が所定のプログラムを読み込むことで、通信部１５２と協働して、通話モジュール１５４、発信者番号取得モジュール１５５、請求情報受信モジュール１５６、決済実行モジュール１５７、決済情報使用許可モジュール１５８を実現する。また、決済端末１５０において、制御部１５１が所定のプログラムを読み込むことで、記憶部１５３と協働して、決済情報抽出モジュール１５９を実現する。
【００５０】
決済サーバ２００は、同様に、制御部１５１として、ＣＰＵ，ＲＡＭ，ＲＯＭ等を備え、通信部１５２として、例えば、ＩＥＥＥ８０２．１１に準拠したＷｉＦｉ対応デバイスを備える（有線であってもよい）。
【００５１】
決済サーバ２００において、制御部２０１が所定のプログラムを読み込むことで、通信部２０２と協働して、請求情報送信モジュール２０３、決済手続モジュール２０４を実現する。
【００５２】
［決済代行処理］
図５は、通信端末１０、決済端末１５０、決済サーバ２００が実行する決済代行処理のフローチャートである。上述した各装置のモジュールが行う処理について、本処理にて併せて説明する。
【００５３】
初めに、通信端末１０の発信モジュール１４は、決済端末１５０に対して通話を発信する（ステップＳ２１）。決済端末１５０の通話モジュール１５４はこれを着信し、通話を開始する（ステップＳ２２）。通常、この通話は電話通信網３を利用するものと考えられるが、ＩＰ電話を利用する場合等、公衆回線網５を介して発信されてもよい。
【００５４】
次に、通信端末１０の発信者番号送信モジュール１５は、決済端末１５０に対して発信者番号を送信する（ステップＳ２３）。決済端末１５０の発信者番号取得モジュール１５５は、これを受信する（ステップＳ２４）。なお、電話通信網３を利用する場合には、発信者番号は通信端末１０の電話番号である。また、特定のアプリケーションやウェブサービスによって通話を発信している場合には、発信者番号はその通話サービスのアカウント名等のユーザを特定する識別子であってよく、数字のみで構成されていなくてよい。
【００５５】
次に、決済端末１５０の決済情報抽出モジュール１５９は、決済情報データベース１６０内の決済情報テーブルから、受信した発信者番号と関連付けて記憶された決済情報を抽出する（ステップＳ２５）。
【００５６】
図９は、決済情報データベース１６０内の決済情報テーブルの一例である。決済情報テーブルにおいて、発信者番号と、発信者ユーザ名と、決済情報種別と、決済情報とが関連付けて記憶されている。発信者の通信端末が発信者番号によって決済端末１５０に認証されることで、当該発信者は決済端末１５０を介して決済を行うことが可能になる。なお、一つの発信者番号が複数の決済情報に関連付けられている際には、通信端末１０又は決済端末１５０によって、一の決済情報を選択してもよい。
【００５７】
次に、通信端末１０の請求情報送信モジュール１６は、決済端末１５０に対して請求情報を送信する（ステップＳ２６）。そして、決済端末１５０の請求情報受信モジュール１５６は請求情報を受信する（ステップＳ２７）。ここで、請求情報は、決済サーバ２００の請求情報送信モジュール２０３によって通信端末１０に送信されたものであってもよいし、郵送を初めとする別の手段によって送信されたものであってもよい。
【００５８】
このとき、決済端末１５０が通信端末１０から受信する請求情報は、請求番号といった単なる参照番号であって、具体的な請求内容は決済サーバ２００に問い合わせてよい。また、請求情報の送受信の方法としては、公衆回線網５を用いてよいし、通信端末１０から請求番号を番号キーによって打ち込み、又は通話音声によって送信してもよい。
【００５９】
図７は、決済代行処理を実行中の決済端末１５０の画面の一例である。通信端末１０との通話における相手方の名称７１と、発信者番号７２が画面上に表示されている。また、受信した請求情報７３が示され。発信者番号７２を用いて抽出された決済情報を用いて決済する旨７４が表示される。この例では、決済情報の名義人は通信端末１０の持ち主である。決済ボタン７５を押すことで、決済サーバ２００に対する決済の実行が開始される。
【００６０】
決済端末１５０の決済実行モジュール１５７は、抽出した決済情報を用いて、決済サーバ２００に対して決済処理を実行する（ステップＳ２８）。決済サーバ２００の決済手続モジュール２０４はこれを受け、決済の手続を実行する（ステップＳ２９）。これらの処理は、通常のオンライン決済と同様である。
【００６１】
以上が、決済代行処理の手順である。
【００６２】
［決済情報の使用許可処理］
図６は、通信端末１０、決済端末１５０、決済サーバ２００が実行する決済情報の使用許可処理のフローチャートである。上述した各装置のモジュールが行う処理について、本処理にて併せて説明する。
【００６３】
ここで、決済情報の使用許可処理の一部は、決済代行処理と共通している。そのため、共通部分の処理については、詳細な説明を割愛して記載する。
【００６４】
はじめに、通信端末１０の発信モジュール１４は、決済端末１５０に対して通話を発信し（ステップＳ３１）、決済端末１５０の通話モジュール１５４がその通話を着信し、開始する（ステップＳ３２）。続けて、通信端末１０の発信者番号送信モジュール１５が通信端末１０の発信者番号を送信し（ステップＳ３３）、決済端末１５０の発信者番号取得モジュール１５５がそれを受信する（ステップＳ３４）。
【００６５】
次に、決済端末１５０の決済情報抽出モジュール１５９が、決済情報データベース１６０内の決済情報使用許可テーブルから、取得した発信者番号と関連付けられて記憶されている決済情報を抽出する（ステップＳ３５）。
【００６６】
図１０は、決済情報データベース１６０内の決済情報使用許可テーブルの一例である。決済情報使用許可テーブルには、発信者番号と、発信者ユーザ名と、決済情報の名義人、決済情報種別、及び決済情報が関連付けて記憶されている。なお、決済情報テーブルにおいて、名義人の列を加え、発信者ユーザ名を記載することで決済情報使用許可テーブルとテーブル構造が一致するので、二つのテーブルを分割せずに扱うことも可能である。
【００６７】
本実施例において、決済情報使用許可テーブルでは、名義人と発信者ユーザ名は異なっている。すなわち、発信者の通信端末が発信者番号によって決済端末１５０に認証されると、当該発信者とは異なる名義人の決済情報を利用可能になる。なお、実装の形態によって、通信端末１０は決済端末１５０の通信を仲介するに過ぎず、決済処理の主体は発信者でなく決済情報の名義人とすることも可能であることに注意する。
【００６８】
決済端末１５０の決済情報使用許可モジュール１５８は、抽出した決済情報を通信端末１０に送信する（ステップＳ３６）。通信端末１０の決済情報受信モジュール１７は、これを受信する（ステップＳ３７）。このとき、決済情報使用許可モジュール１５８は決済に必要な情報を不足なく通信端末１０に送信することで、通信端末１０が当該決済情報を用いて決済を行えるようにする。
【００６９】
図８は、決済情報の使用許可処理を実行中の決済端末１５０の画面の一例である。通信端末１０との通話における相手方の名称８１と、発信者番号８２が表示され、発信者番号と関連付けて記憶された決済情報の名義８３が表示されている。この例では、通信端末１０の持ち主とは別人である「Ｍａｒｙ」の決済情報を、電話番号で認証した通信端末１０、すなわち「Ｊｏｈｎ」の端末において使用する許可を出すかが問われている。許可ボタン８４を押すと、決済情報が通信端末１０に送信されることで、決済情報の使用の許可がなされる。
【００７０】
最後に、通信端末１０の決済実行モジュール１８は、受信した決済情報を用いて、決済を実行する（ステップＳ３８）。決済サーバ２００はこれを受け、決済の手続を実行する（ステップＳ３９）。
【００７１】
以上が、決済情報の使用許可処理の手順である。
【００７２】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７３】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７４】
１  決済システム、２  決済システム、３  電話通信網、５  ネットワーク、１０  通信端末、１５０  決済端末、１６０  決済情報データベース、２００  決済サーバ
【図１】
2015043114.tif 000003
【図２】
2015043114.tif 000004
【図３】
2015043114.tif 000005
【図４】
2015043114.tif 000006
【図５】
2015043114.tif 000007
【図６】
2015043114.tif 000008
【図７】
2015043114.tif 000009
【図８】
2015043114.tif 000010
【図９】
2015043114.tif 000011
【図１０】
2015043114.tif 000012